(57)【要約】【課題】従来の電話か連絡帳等の持運びでの連絡では、幼稚園から保護者への連絡が途中で喪失したり、間違って伝えられる場合もあった。又、園児や幼稚園の現画像を動画配信しこれを蓄積し記念画像としても提供するものはなかった。【解決手段】ユーザ（保護者）端末６と幼稚園の情報発信サーバシステム１と運営者の情報入力端末５と送迎車の移動体端末７がネットワーク１００で接続され、情報発信サーバ２は幼稚園行事予定、保護者への連絡事項、重要通知事項、保護者と交換するメッセージ、欠席連絡、送迎車位置や到着予定時刻をそれぞれ掲載するボードと、ウェブ用の通信手段、メール手段、コンピュータテレフォニィ送信手段、各ボードの閲覧へのサービスや情報登録をウェブやメールで行う処理手段とを含み、動画配信サーバ３は画像監視カメラ４から園児や幼稚園の動画を受信し記録し、要求に応じ現動画像／過去画像をユーザ端末６に配信する。【選択図】　　　図１
2004110270.tif 000002
【特許請求の範囲】
【請求項１】
園児の保護者が使うユーザ端末と幼稚園の情報発信サーバシステムと幼稚園の運営者が使う情報入力端末とがネットワーク接続され幼稚園と保護者間のコミュニケーションを行うシステムであって、
前記情報発信サーバシステムが、幼稚園の行事予定を掲載する行事予定ボード（ウェブページ）と運営者から保護者への連絡事項を掲載する連絡事項ボード（ウェブページ）と、行事の開催有無又は中止や延期を含む保護者への重要通知事項を掲載するトピックスボード（ウェブページ）と、ウェブ用の通信手段と、メール手段と、コンピュータテレフォニィ送信手段と、連絡処理手段とを含み、前記連絡処理手段が前記ユーザ端末のアクセスに応答しアクセス先のボード区分を取得する手段と指定されたボード（ウェブページ）を送信し閲覧させる手段と、前記情報入力端末からのアクセスに応答しアクセス先のボード区分を取得する手段とこれへの更新指示、更新データ情報を取得し指定のボードを更新すると共にトピックスボードへの登録された通知情報をメール手段に渡しユーザ端末にメール送信させる手段とを有することを特徴とする幼稚園ネットワーク管理システム。
【請求項２】
前記連絡処理手段のトピックスボードへの登録情報の通知手段を、登録情報のユーザ端末へのメール送信指示をし、予め登録されたユーザの電話番号と前記コンピュータテレフォニィ送信手段を用いユーザの電話機を呼出し登録情報を音声通知する手段とすることを特徴とする請求項１記載の幼稚園ネットワーク管理システム。
【請求項３】
前記情報発信サーバシステムが前記運営者と保護者がメッセージ交換する為のメッセージ交換ボード（ウェブページ）と、メッセージ交換処理手段と、前記情報入力端末やユーザ端末のアクセスに応答し、選択項目にメッセージ交換を含むメニューを提示しメッセージ交換の指定を受けメッセージ交換処理手段を呼び出す手段も含み、メッセージ交換処理手段が、メッセージ交換ボードの内容を送信し、閲覧させ、書込が指定されると書込情報を取得しメッセージ交換ボードに追記することを特徴とする請求項１、又は２記載の幼稚園ネットワーク管理システム。
【請求項４】
前記情報発信サーバシステムが前記運営者と保護者がメッセージ交換する為のメッセージ交換ボード（ウェブページ）と、保護者間でメッセージ交換する為の保護者用連絡ボード（ウェブページ）と、メッセージ交換処理手段と、前記情報入力端末やユーザ端末のアクセスに応答し、選択項目にメッセージ交換を含むメニューを提示しメッセージ交換の指定を受けメッセージ交換処理手段を呼び出す手段も含み、メッセージ交換処理手段が、アクセス先ボード区分を取得し区分がメッセージ交換ボードであればメッセージ交換ボードの内容を送信し、閲覧させ、書込が指定されると書込情報を取得しメッセージ交換ボードに追記し、区分が保護者用連絡ボードであれば個別の連絡ボード或いは登録の何れかを選択させ、個別の連絡ボードが指定された場合にはその内容を送信し、閲覧させ、書込が指定されると書込データを取得し個別の連絡ボードに追記し、その個別の連絡ボードに対応付けられた通知先に個別連絡ボードの内容をメールで送信し、登録が指定された場合には、書込情報と通知先情報を取得し書込情報を新規の個別連絡ボードに登録し、通知先情報をメール手段のメールアドレスリストに登録させる手段を有することを特徴とする請求項１、又は２記載の幼稚園ネットワーク管理システム。
【請求項５】
前記メール手段がユーザ端末から保護者連絡ボードへの登録要求メールを受信すると、書込情報と通知先情報をメールで取得し、前記メッセージ交換処理手段に渡す手段も有し、前記メッセージ交換処理手段が前記ウェブで要求された場合と同様に書込情報の新規個別連絡ボードへの登録、通知先情報のメールアドレスリストへの登録指示も行う手段も有することを特徴とする請求項４記載の幼稚園ネットワーク管理システム。
【請求項６】
前記情報発信サーバシステムには園児や幼稚園の様子を撮影する画像監視カメラが接続され、前記情報発信サーバシステムが画像要求処理手段と画像登録・配信処理手段と記録画像配信処理手段も含み、前記画像要求処理手段はユーザ端末からの画像送信要求を受け、現在の動画像か過去の画像かの要求区分を取得し、現在の動画像指定で通信中のユーザ端末アドレス情報を現画像配信アドレスリストに登録し、過去の画像指定で画像の指定情報を取得し前記アドレス情報と共に保持する手段を有し、前記画像登録・配信処理手段は画像監視カメラからの動画像データを受信する手段と、受信画像を現画像配信アドレスリストの各ユーザ端末に配信する手段と、一定期間の受信動画像データに日時を含むヘッダ情報を付加し過去のビデオデータベースとして蓄積する手段と、ヘッダ情報よりインデックス情報を作成して蓄積する手段とを有し、前記記録画像配信処理手段は前記画像指定情報を用いビデオデータベースを検索し指定の画像情報を読出し、前記アドレスのユーザ端末に送信する手段を有することを特徴とする請求項１、２、３、又は４記載の幼稚園ネットワーク管理システム。
【請求項７】
前記画像登録・配信処理手段が受信画像データを所定の小期間単位で圧縮する圧縮・グループ化処理手段も有し、これが圧縮した画像データを前記配信手段や前記蓄積手段に渡すことを特徴とする請求項６記載の幼稚園ネットワーク管理システム。
【請求項８】
前記画像要求処理手段が要求区分として過去画像を取得すると、インデックス情報を要求元のユーザ端末に提示し画像を指定させる手段も有することを特徴とする請求項６記載の幼稚園ネットワーク管理システム。
【請求項９】
前記画像登録・配信処理手段の前記インデックス情報の作成手段がヘッダ情報と、これに含まれる日時情報で前記行事予定ボードの情報を検索し対応する行事名を取得すればそれをヘッダ情報に併記する手段も有することを特徴とする請求項８記載の幼稚園ネットワーク管理システム。
【請求項１０】
前記情報発信サーバシステムには園児の送迎車に積載された移動体端末もネットワークを通じ通信接続され、前記情報発信サーバシステムが前記保護者が送迎の欠席や遅刻を登録する欠席連絡ボード（ウェブページ）と、欠席連絡処理手段も有し、前記欠席連絡処理手段がユーザ端末から欠席情報の登録要求を受けると、欠席か遅刻の区分を含む詳細情報を取得し欠席連絡ボードに登録し、登録した情報を前記メール手段を用い対応する移動体端末にメール送信する手段を有することを特徴とする請求項６記載の幼稚園ネットワーク管理システム。
【請求項１１】
前記情報発信サーバシステムのメール手段がユーザ端末より欠席情報の登録要求メールを受けると、欠席か遅刻の区分を含む詳細情報をメールで取得し、前記欠席連絡処理手段に渡す手段も有し、前記欠席連絡処理手段が前記ウェブで要求された場合と同様に詳細情報の欠席連絡ボードへの登録と対応する移動体端末へメール送信することを特徴とする請求項１０記載の幼稚園ネットワーク管理システム。
【請求項１２】
前記移動体端末は現在の方位位置情報を取得し、情報発信サーバシステム宛に送信する手段も有し、前記情報発信サーバシステムが前記送迎車の現在位置情報と送迎場所への到着予想時刻を掲載する送迎車情報ボード（ウェブページ）と、送迎車運行情報処理手段も含み、前記送迎車運行情報処理手段は前記移動体端末からの方位情報を受信する手段と、これを基準地点からの旅程距離に変換する手段と、これを町名や番地或いは通称地名による現在位置情報に変換する手段と、現在の旅程距離と現在時刻を用い各送迎場所への到着予想時刻を計算する手段と前記変換された現在位置情報と到着予想時刻とを更新しながら前記送迎車情報ボードに書き込む手段と、前記ユーザ端末から送迎車情報閲覧要求を受けると要求元に送迎車情報ボードの内容を送信する手段とを有することを特徴とする請求項１０記載の幼稚園ネットワーク管理システム。
【発明の詳細な説明】
【０００１】
【発明の属する技術分野】
本発明は幼稚園の運営者と園児の保護者間の情報連絡を行う幼稚園ネットワーク管理システムに関し、特に重要事項連絡は２重、３重の通信手段で通知し、又連絡事項だけでなくメッセージ交換も行え幼稚園画像閲覧を過去画像も含めて行え送迎車情報も閲覧できる幼稚園ネットワーク管理システムに関する。
【０００２】
【従来の技術】
今迄の幼稚園と保護者は、連絡事項が発生した場合は電話か連絡帳や紙の印刷物で行い、行事開催の可否等はバケツリレー的な連絡網を使っていた。例えば、幼稚園の運営者から保護者への連絡事項は紙で印刷され、園児に渡される。又、園児の幼稚園での様子等の先生からの伝達は園児が携行する連絡帳に記録することで行われる場合が多い。
【０００３】
行事開催の可否については、電話による順繰りの連絡体制により、開催の可否を判断している。
【０００４】
毎日のバスによる送迎では、送迎地点に送迎車が到着した時に保護者がいない場合、送迎車は園児を乗せるときは待つことは無く次の送迎地点へ出発し、園児を下ろす場合は園児をそのまま幼稚園まで連れて行き、幼稚園まで保護者が引き取りに行く必要があった。
【０００５】
従って、送迎車到着時刻に送迎地点に保護者がいることは絶対条件であるため、交通事情、天気等により生じる到着時刻のズレを考慮して十分早めに待つ必要があった。
【０００６】
一方、送迎地点には十分な座席や日除けや屋根もなく保護者の身体的な負担も大きく、時間的損失もあった。
【０００７】
上記保護者の負担等を考慮して、利用者が送迎場所で送迎バスを待ち合わせる時間を短縮する為に、送迎バスの運行経路上の位置を取得し、利用者が予め設定している運行経路上の到着通知場所を送迎バスが通過したことを検出するとそれを電話の呼出し音や発信番号表示により利用者に通知する様にした「到着通知システム」がある（特許文献１参照）。
【０００８】
【特許文献１】
特開２００２−１５０４９４号公報（第３−４頁、図１）
【０００９】
【発明が解決しようとする課題】
上記の様な電話か連絡帳や紙の印刷物の持ち運び体制では、幼稚園から保護者への連絡が途中で喪失したり、内容が間違って伝えられる場合もあるという問題があった。例えば、園児に渡された連絡事項のプリントは、途中で紛失したり、破損することもある。
【００１０】
又、幼稚園の様子等の連絡帳による伝達では情報量に欠け、教育の方法、現場の環境、園児の反応等をリアルに伝えることが出来ないという問題もあった。
【００１１】
又、保護者間で１対Ｎのコミュニケーションや議論する手立てが準備されてないので、突発的な連絡では保護者間の口コミによるコミュニケーションとなり、相手を替えて同じ様な通話を繰り返し不便であるという問題もあった。
【００１２】
上記「到着通知システム」では、送迎バスが到着通知場所を通過してはじめて通過したということが通知されるので、保護者が送迎バスの現在位置が知りたいという時に即座に其の情報を得ることが出来ない。
【００１３】
従って、送迎場所に出発するのが遅れた際に、間に合いそうであれば出向き、無理であれば乗車させない、迎えに行かないといった判断をし対応することが出来ないし、保護者が到着通知場所を予め登録しておくという手間も掛かるという問題がある。
【００１４】
本発明では、これらの問題をインターネットを使用することで解決し、且つ、それぞれの機能を統合することで効率化を図った、幼稚園ネットワーク管理システムを提供する。
【００１５】
【課題を解決するための手段】
本発明の第１の幼稚園ネットワーク管理システムは、園児の保護者が使うユーザ端末と幼稚園の情報発信サーバシステムと幼稚園の運営者が使う情報入力端末とがネットワーク接続され幼稚園と保護者間のコミュニケーションを行うシステムであって、前記情報発信サーバシステムが、幼稚園の行事予定を掲載する行事予定ボード（ウェブページ）と運営者から保護者への連絡事項を掲載する連絡事項ボード（ウェブページ）と、行事の開催有無又は中止や延期を含む保護者への重要通知事項を掲載するトピックスボード（ウェブページ）と、ウェブ用の通信手段と、メール手段と、コンピュータテレフォニィ送信手段と、連絡処理手段とを含み、前記連絡処理手段が前記ユーザ端末のアクセスに応答しアクセス先のボード区分を取得する手段と指定されたボード（ウェブページ）を送信し閲覧させる手段と、前記情報入力端末からのアクセスに応答しアクセス先のボード区分を取得する手段とこれへの更新指示、更新データ情報を取得し指定のボードを更新すると共にトピックスボードへの登録された通知情報をメール手段に渡しユーザ端末にメール送信させる手段とを有することを特徴とする。
【００１６】
本発明の第２の幼稚園ネットワーク管理システムは、前記第１の幼稚園ネットワーク管理システムに於いて、前記連絡処理手段のトピックスボードへの登録情報の通知手段を、登録情報のユーザ端末へのメール送信指示をし、予め登録されたユーザの電話番号と前記コンピュータテレフォニィ送信手段を用いユーザの電話機を呼出し登録情報を音声通知する手段とすることを特徴とする。
【００１７】
本発明の第３の幼稚園ネットワーク管理システムは、前記第１、又は第２の幼稚園ネットワーク管理システムに於いて、前記情報発信サーバシステムが前記運営者と保護者がメッセージ交換する為のメッセージ交換ボード（ウェブページ）と、メッセージ交換処理手段と、前記情報入力端末やユーザ端末のアクセスに応答し、選択項目にメッセージ交換を含むメニューを提示しメッセージ交換の指定を受けメッセージ交換処理手段を呼び出す手段も含み、メッセージ交換処理手段が、メッセージ交換ボードの内容を送信し、閲覧させ、書込が指定されると書込情報を取得しメッセージ交換ボードに追記することを特徴とする。
【００１８】
本発明の第４の幼稚園ネットワーク管理システムは、前記第１、又は第２の幼稚園ネットワーク管理システムに於いて、前記情報発信サーバシステムが前記運営者と保護者がメッセージ交換する為のメッセージ交換ボード（ウェブページ）と、保護者間でメッセージ交換する為の保護者用連絡ボード（ウェブページ）と、メッセージ交換処理手段と、前記情報入力端末やユーザ端末のアクセスに応答し、選択項目にメッセージ交換を含むメニューを提示しメッセージ交換の指定を受けメッセージ交換処理手段を呼び出す手段も含み、メッセージ交換処理手段が、アクセス先ボード区分を取得し区分がメッセージ交換ボードであればメッセージ交換ボードの内容を送信し、閲覧させ、書込が指定されると書込情報を取得しメッセージ交換ボードに追記し、区分が保護者用連絡ボードであれば個別の連絡ボード或いは登録の何れかを選択させ、個別の連絡ボードが指定された場合にはその内容を送信し、閲覧させ、書込が指定されると書込データを取得し個別の連絡ボードに追記し、その個別の連絡ボードに対応付けられた通知先に個別連絡ボードの内容をメールで送信し、登録が指定された場合には、書込情報と通知先情報を取得し書込情報を新規の個別連絡ボードに登録し、通知先情報をメール手段のメールアドレスリストに登録させる手段を有することを特徴とする。
【００１９】
本発明の第５の幼稚園ネットワーク管理システムは、前記第４の幼稚園ネットワーク管理システムに於いて、前記メール手段がユーザ端末から保護者連絡ボードへの登録要求メールを受信すると、書込情報と通知先情報をメールで取得し、前記メッセージ交換処理手段に渡す手段も有し、前記メッセージ交換処理手段が前記ウェブで要求された場合と同様に書込情報の新規個別連絡ボードへの登録、通知先情報のメールアドレスリストへの登録指示も行う手段も有することを特徴とする。
【００２０】
本発明の第６の幼稚園ネットワーク管理システムは、前記第１、第２、第３、又は第４の幼稚園ネットワーク管理システムに於いて、前記情報発信サーバシステムには園児や幼稚園の様子を撮影する画像監視カメラが接続され、前記情報発信サーバシステムが画像要求処理手段と画像登録・配信処理手段と記録画像配信処理手段も含み、前記画像要求処理手段はユーザ端末からの画像送信要求を受け、現在の動画像か過去の画像かの要求区分を取得し、現在の動画像指定で通信中のユーザ端末アドレス情報を現画像配信アドレスリストに登録し、過去の画像指定で画像の指定情報を取得し前記アドレス情報と共に保持する手段を有し、前記画像登録・配信処理手段は画像監視カメラからの動画像データを受信する手段と、受信画像を現画像配信アドレスリストの各ユーザ端末に配信する手段と、一定期間の受信動画像データに日時を含むヘッダ情報を付加し過去のビデオデータベースとして蓄積する手段と、ヘッダ情報よりインデックス情報を作成して蓄積する手段とを有し、前記記録画像配信処理手段は前記画像指定情報を用いビデオデータベースを検索し指定の画像情報を読出し、前記アドレスのユーザ端末に送信する手段を有することを特徴とする。
【００２１】
本発明の第７の幼稚園ネットワーク管理システムは、前記第６の幼稚園ネットワーク管理システムに於いて、前記画像登録・配信処理手段が受信画像データを所定の小期間単位で圧縮する圧縮・グループ化処理手段も有し、これが圧縮した画像データを前記配信手段や前記蓄積手段に渡すことを特徴とする。
【００２２】
本発明の第８の幼稚園ネットワーク管理システムは、前記第６の幼稚園ネットワーク管理システムに於いて、前記画像要求処理手段が要求区分として過去画像を取得すると、インデックス情報を要求元のユーザ端末に提示し画像を指定させる手段も有することを特徴とする。
【００２３】
本発明の第９の幼稚園ネットワーク管理システムは、前記第８の幼稚園ネットワーク管理システムに於いて、前記画像登録・配信処理手段の前記インデックス情報の作成手段がヘッダ情報と、これに含まれる日時情報で前記行事予定ボードの情報を検索し対応する行事名を取得すればそれをヘッダ情報に併記する手段も有することを特徴とする。
【００２４】
本発明の第１０の幼稚園ネットワーク管理システムは、前記第６の幼稚園ネットワーク管理システムに於いて、前記情報発信サーバシステムには園児の送迎車に積載された移動体端末もネットワークを通じ通信接続され、前記情報発信サーバシステムが前記保護者が送迎の欠席や遅刻を登録する欠席連絡ボード（ウェブページ）と、欠席連絡処理手段も有し、前記欠席連絡処理手段がユーザ端末から欠席情報の登録要求を受けると、欠席か遅刻の区分を含む詳細情報を取得し欠席連絡ボードに登録し、登録した情報を前記メール手段を用い対応する移動体端末にメール送信する手段を有することを特徴とする。
【００２５】
本発明の第１１の幼稚園ネットワーク管理システムは、前記第１０の幼稚園ネットワーク管理システムに於いて、前記情報発信サーバシステムのメール手段がユーザ端末より欠席情報の登録要求メールを受けると、欠席か遅刻の区分を含む詳細情報をメールで取得し、前記欠席連絡処理手段に渡す手段も有し、前記欠席連絡処理手段が前記ウェブで要求された場合と同様に詳細情報の欠席連絡ボードへの登録と対応する移動体端末へメール送信することを特徴とする。
【００２６】
本発明の第１２の幼稚園ネットワーク管理システムは、前記第１０の幼稚園ネットワーク管理システムに於いて、前記移動体端末は現在の方位位置情報を取得し、情報発信サーバシステム宛に送信する手段も有し、前記情報発信サーバシステムが前記送迎車の現在位置情報と送迎場所への到着予想時刻を掲載する送迎車情報ボード（ウェブページ）と、送迎車運行情報処理手段も含み、前記送迎車運行情報処理手段は前記移動体端末からの方位情報を受信する手段と、これを基準地点からの旅程距離に変換する手段と、これを町名や番地或いは通称地名による現在位置情報に変換する手段と、現在の旅程距離と現在時刻を用い各送迎場所への到着予想時刻を計算する手段と前記変換された現在位置情報と到着予想時刻とを更新しながら前記送迎車情報ボードに書き込む手段と、前記ユーザ端末から送迎車情報閲覧要求を受けると要求元に送迎車情報ボードの内容を送信する手段とを有することを特徴とする。
【００２７】
【発明の実施の形態】
次に、本発明の実施の形態について図面を参照して詳細に説明する。図１は本発明の幼稚園ネットワーク管理システムの全体のシステム構成を示した図である。幼稚園ネットワーク管理システムは情報発信サーバシステム１、画像監視カメラ４、情報入力端末５、ユーザ端末６−１、ユーザ端末６−２、移動体端末７から構成されており、それぞれ通信ネットワーク１００に接続されている。
【００２８】
情報発信サーバシステム１は、オペレーティングシステム（ＯＳ）を実装したサーバ等のコンピュータで構成するシステムであり、必要に応じ１台から数台のサーバで構成される。尚、本実施例では情報発信サーバ２と動画配信サーバ３の構成としている。
【００２９】
画像監視カメラ４は、園内を撮影し、映像を動画配信サーバ３へ転送する。情報入力端末５は、情報発信サーバ２にアクセス可能なコンピュータであり幼稚園の運営者（先生や事務運営者）のパーソナルコンピュータ等である。
【００３０】
ユーザ端末６−１は、園児の保護者のパーソナルコンピュータ等のコンピュータで、ユーザ端末６−２はＰＤＡ、携帯電話等であり、これらは無線ネットワークを介しインターネットに接続可能な機器である。
【００３１】
移動体端末７は、送迎車に搭載可能で、情報発信サーバ２情報の送受信が可能なコンピュータか携帯電話である。通信ネットワーク１００はインターネットを含むネットワークである。
【００３２】
図２は情報発信サーバシステム１の情報発信サーバ２の構成を示したブロック図である。図２を参照し、情報発信サーバ２は通信手段２１とメーラ２２とＣＴＩ２３とメニュー送信手段２４と連絡処理手段２５とＭＳＧ交換処理手段２６とと欠席連絡処理手段２８と送迎車運行情報処理手段２９を含む。
【００３３】
メニュー送信手段２４以降はＨＴＴＰ通信可能なサーバのプログラムモジュールであり、又連絡処理手段２５、ＭＳＧ交換処理手段２６、欠席連絡処理手段２８はメーラ２２からの情報も受け付ける。
【００３４】
連絡処理手段２５は配下に行事予定ＢＤ（ボード）２０１、連絡事項ＢＤ２０２、トピックスＢＤ２０５を有している。ＭＳＧ交換処理手段２６はＭＳＧ交換ＢＤ２０３、保護者用連絡ＢＤ２０４を、欠席連絡処理手段２８は欠席連絡ＢＤ２０６を、送迎車運行情報処理手段２９は送迎車情報ＢＤ２０７をそれぞれ配下に有している
これらのＢＤ（ボード）はそれぞれ記憶装置上のＨＴＴ形式のファイルやこれのカタログである。
【００３５】
ユーザ属性情報２４２はユーザの氏名とニックネームとこれに対応したパスワードとユーザ属性（ＸＸ組の園児保護者、ＸＸ組運営者（先生）、幼稚園の総括運営者、送迎バス乗務員の区別）を保持している。
【００３６】
メーラ２２はメールサーバに宛先、送信元のメールアドレス、主題、メール本体を渡してメール送信を依頼し、又自分宛（例えば３通りのメールアドレス）のメール着信を周期的にチェックしメールサーバの自分のメールボックス（例えば３個）よりメールを取り出す。
【００３７】
メールボックスの第１は欠席連絡用であり、これよりのメールは欠席連絡処理手段２８に渡す。
【００３８】
メールボックスの第２は保護者連絡ＢＤ２０４の新規登録用であり、これよりのメールはＭＳＧ交換処理手段２６に渡す。
【００３９】
メールボックスの第３はメールアドレスリスト２２１の参照用であり、このメールを取り出すとメールアドレスリスト２２１をメールで返信する。
【００４０】
メールアドレスリスト２２１は前記属性別に分けて保護者や運営者の氏名とニックネームとメールアドレスを保持しており、又連絡するグループ単位でグループ名（幼稚園全体、年少組、年長組等）に対応してグーループメンバーのニックネームとメールアドレスも保持している。
【００４１】
ＣＴＩ２３は少なくとも相手コールと音声送信機能を持ったＣＴＩ（Ｃｏｍｐｕｔｅｒ　ＴｅｒｅｐｈｏｎｙＩｎｔｅｒｆａｃｅ）でテキストデータを受け取り、音声に変換後、指定された宛先電話番号に発呼し、オフフックや自動着信信号を検出し音声を送信する。
【００４２】
電話番号リスト２３１には保護者の連絡先電話番号が登録されている。保護者のユーザ端末６が携帯電話であれば其の番号でもよいが、パソコンであれば携帯電話機ないし自宅の電話機の番号が登録されている。
【００４３】
通信手段２１は例えばＴＣＰ／ＩＰである。メニュー送信手段２４はユーザ（園児の保護者）や運営者にアクセスされると、ニックネーム、パスワードを取得し、ユーザ属性情報２４２を参照し、パスワードが符合すれば属性情報を取得する。
【００４４】
そして主メニュー・手続き情報２４１の保護者向け、運営者向けの内対応する方をユーザ端末６、情報入力端末５のブラウザ等に送信する。
【００４５】
主メニュー・手続き情報２４１はＨＴＭＬ等で記述された表示データ及びこれに関連したプログラムである。これの保護者向けはメニュー項目として行事予定・連絡事項閲覧、メッセージ交換、出欠連絡登録、送迎車情報閲覧、動画閲覧であり、運営者向けは行事予定・連絡事項閲覧及び登録、メッセージ交換、出欠連絡閲覧、送迎車情報閲覧、動画閲覧である。
【００４６】
主メニュー・手続き情報２４１はユーザ端末６或いは情報入力端末５でブラウザ等を通じ表示及び実行され、行事予定・連絡事項閲覧、或いは行事予定・連絡事項閲覧及び登録が選択されると連絡処理手段２５を宛先としてサブメニュー・手続き情報２５１（保護者向け或いは運営者向け）のロードを要求する。
【００４７】
連絡処理手段２５は、指定された方のサブメニュー・手続き情報２５１とこれが参照している行事予定ＢＤ２０１や連絡事項ＢＤ２０２やトピックスＢＤ２０５を返信する。
【００４８】
サブメニュー・手続き情報２５１はユーザ端末６等でアクセス先ボードを選択させ指定されたボードの内容を表示する。
【００４９】
情報入力端末５でボードを指定後、更新が選択され、更新情報が入力されると、更新要求やユーザのニックネームと共に連絡処理手段２５に送信される。
【００５０】
連絡処理手段２５はこれらを受信し、ユーザ属性情報２４２を参照し要求元が運営者であり、更新先のボードへの書込が許可されていることを確認し、更新情報で指定のボードの内容を更新する。
【００５１】
ここでいちご組の連絡事項ボードはいちご組の先生か、上位の統括運営者にしか更新（追加、修正、削除）出来ない様にしてもよい。
【００５２】
又、トピックスＢＤ２０５に追加、修正された情報と「保護者全員」という宛先指定をメーラ２２に指示する。
【００５３】
メール配信終了を受けるとＣＴＩ２３に連絡メッセージと「保護者全員」という指定を渡し、電話連絡を指示する。
【００５４】
尚、幼稚園の運営者は行事の中止や延期等を含む全員に通知する重要連絡事項を登録する場合には、トピックスＢＤ２０５を使う様にする。
【００５５】
同様に情報入力端末５或いはユーザ端末６よりＭＳＧ（メッセージ）交換が選択されると、ＭＳＧ交換処理手段２６宛にサブメニューロード要求（Ｕ）、或いは同（Ｈ）が送信され、ＭＳＧ交換処理手段２６がサブメニュー・手続き情報２６１（運営者向け）とＭＳＧ交換ＢＤ２０３を送信し、或いはサブメニュー・手続き情報２６１（保護者向け）とＭＳＧ交換ＢＤ２０３と保護者用連絡ＢＤ２０４の管理表と個別連絡ファイル（連絡室Ａ、・・・○○町）を送信する。
【００５６】
ここで管理表が登録済みの個別連絡ファイル名（連絡室Ａ、・・・○○町）を保持している。
【００５７】
情報入力端末５ではＭＳＧ交換ＢＤ２０３の閲覧が行われ、「書込」を指定し、メッセージ（ＭＳＧ）を入力するとＭＳＧ交換処理手段２６がこれらを受信しメッセージをＭＳＧ交換ＢＤ２０３に書き込む。
【００５８】
ユーザ端末６では「ＭＳＧ交換ボード」／「保護者用連絡ボード」のアクセス先ボード選択メニューで「ＭＳＧ交換ボード」を選択するとこれの表示をし、「書込」を指定しメッセージ入力すると前記同様にＭＳＧ交換処理手段２６による書込が行われる。
【００５９】
「保護者用連絡ボード」を選択すると次に「閲覧や書込」／「登録」の何れかを選択させる。「閲覧や書込」が選択されると上記添付された個別連絡ファイル名の一覧を表示し指定されたものを表示する。
【００６０】
又「書込」を指定し、メッセージ入力すると、その時の個別連絡ファイル名やメッセージがＭＳＧ交換処理手段２６１に送信され、保護者用連絡ＢＤ２０４の指定の個別連絡ファイルに書き込まれる。
【００６１】
「登録」が選択されると、連絡メッセージを入力させ、通知先対象の保護者と新規の通知先グループ名を入力させる。
【００６２】
この際、「アドレス一覧」を指定すれば、ＭＳＧ交換処理手段２６に要求し、メールアドレスリスト２２１が送られてくる。
【００６３】
ＭＳＧ交換処理手段２６はこれらを受信すると保護者用連絡ＢＤ２０４に通知先グループ名をファイル名とする個別連絡ファイルを作り、連絡メッセージを書込み、管理表に連絡先グループ名と連絡先の氏名かニックネームをエントリ追加する。
【００６４】
またメールアドレスリスト２２１に同様のエントリを追加後、そのグループ名と連絡メッセージを渡しメール送信を指示する。
【００６５】
保護者用連絡ＢＤ２０４への連絡事項、連絡グループ名と通知先の登録はメールからも行える。
【００６６】
ユーザ端末６−２から所定のメールアドレスを宛先としメール送信すると、メーラ２２がこれを着信し登録用のテンプレートとメールアドレスリスト２２１を送ってくる。
【００６７】
ユーザ端末６−２でこれらを表示し連絡メッセージ、通知先とその連絡グループ名をテンプレートに入力し返信する。これら情報がメーラ２２を介してＭＳＧ交換処理手段２６に渡り、前記ブラウザからの受信時と同様に処理する。尚、通知先を入力する際には表示中のメールアドレスリストから選択出来る。
【００６８】
欠席連絡処理手段２８はユーザ端末６よりサブメニューロード要求を受けるとサブメニュー・手続き情報２８１を返し、ユーザ端末６からの送迎連絡（欠席／遅刻の区分、送迎車コース、園児氏名）を取得し欠席連絡ＢＤ２０６に書き込む。
【００６９】
又、メーラ２２を通じユーザ端末６からの送迎の欠席連絡（欠席／遅刻の区分、送迎車コース、園児氏名）を受信すると同様に書き込む。
【００７０】
欠席連絡ＢＤ２０６へ書込を行うと書込データ、対応する移動体端末の指定をメーラ２２に渡し移動体端末７にメールを送信させる。
【００７１】
送迎車運行情報処理手段２９は各送迎バスから現在位置として方位情報を受け現在の位置（町名−番地等）と、各乗降場所への到着予定時刻を送迎車情報ＢＤ２０７に公開する手段であり、方位情報受信手段２９２と変換手段２９３と変換手段２９５と時刻計算手段２９４と手続き情報２９１から構成される。
【００７２】
方位情報受信手段２９２は各送迎バスに搭載された移動体端末７から周期的に送信される現在方位（緯度経度）を受信し、移動体端末７毎（運行コース毎）にバッファする。
【００７３】
変換手段２９３はコース別に方位情報を基準地点からの旅程キロ数に変換し、変換手段２９５は旅程キロ数を町名−番地等に変換する。
【００７４】
時刻計算手段２９４は、現在位置の旅程キロ数と各乗降場所（停留所）の旅程キロ数より、各乗降場所への到着予定時刻を計算する。
【００７５】
手続き情報２９１はユーザ端末６からのロード要求に応じて返信され、閲覧要求とコースを取得する。送迎車運行情報処理手段２９ユーザ端末６から閲覧要求とコースを受信すると送迎車情報ＢＤ２０７の対応する情報を送信する。
【００７６】
図３は動画配信サーバ３の構成を示したブロック図である。本図を参照し、動画配信サーバ３は通信手段３１と画像要求処理手段３２と画像登録・配信処理手段３３と記録画像配信処理手段３４から構成される。
【００７７】
通信手段３１はＴＣＰ／ＩＰ等の通信処理モジュールである。画像要求処理手段３２はユーザ端末６等の「動画閲覧」選択でアクセスされると、サブメニュー・手続き情報３２１を返信する。
【００７８】
画像要求処理手段３２は、「リアルタイム閲覧（現画像配信要求）」を受けると再生用ソフト３２４を送信する。又ユーザ端末６（要求元）のＩＰアドレスを通信手段３１より取得し、現画像送信アドレスリスト３２２に追加する。
【００７９】
現画像が配信されてからユーザ端末６の再生ソフト３２４から停止指示を受けると、通信手段３１より取得したＩＰアドレスを現画像送信アドレスリスト３２２から削除する。
【００８０】
「記録画像閲覧（記録画像配信要求）」を受けるとユーザ端末６にインデックスファイル３５を返し内容を表示させ、配信する画像の日付−時刻、秒数を指定させこれと要求元のユーザ端末６のアドレスを記録画像指定情報３２３として記録画像配信処理手段３４に渡す。
【００８１】
画像登録・配信処理手段３３は、画像監視カメラ４からディジタル画像データを受け、１秒等の単位でグループ化しＭＰＥＧ或いはモーションＪＰＥＧ等の圧縮を行い、各グループを多数のパケットに分け、各パケットを現画像同報アドレスリスト３２２の各ブロック単位で同報送信する。
【００８２】
又、圧縮画像グループデータに例えば０．５Ｈ毎にヘッダを付加しビデオデータＤＢ（データベース）３６に記録する。
【００８３】
画像登録・配信処理手段３３は受信ＢＵＦ３３１、圧縮・ＧＲＰ化処理手段３３２、パケット化・送信手段３３３、ヘッダ付加手段３３４、出力ＢＵＦ３３５、外部記憶転送処理手段３３６、インデックス作成手段３３７から構成される。
【００８４】
受信ＢＵＦ３３１はフレーム単位で画像データを一時蓄積し、圧縮・ＧＲＰ化処理手段３３２は１秒間の１５フレーム或いは３０フレームのデータをＭＰＥＧ等の形式（代表フレーム画像を８＊８ピクセルのブロックに分け、ブロック単位でＤＣＴ変換しその係数データを圧縮したフレームとそれに対する動きベクトルデータの後続の数フレームにし時刻情報コマ番号を付加）に圧縮する。
【００８５】
パケット化・送信手段３３３は、各グループを多数のパケットに分け、各パケットを現画像送信アドレスリスト３２２の各アドレスへ送信する。
【００８６】
ヘッダ付加手段３３４は圧縮画像グループデータに例えば０．５Ｈ毎にヘッダを付加し出力ＢＵＦ３３５に一時蓄積する。
【００８７】
外部記憶転送処理手段３３６は出力ＢＵＦ３３５内の画像データを順次取り出し、ビデオデータＤＢ３６の所定の媒体が装着されているドライブに転送し記録する。
【００８８】
インデックス作成手段３３７はヘッダ付加手段３３４からヘッダ情報を受けその一覧を作成するが、ディリーに前もって情報発信サーバ２の行事予定ＢＤ２０１を読出して一時記憶しておき、追加するヘッダ情報の日時分で行事予定の写しを検索しヒットすれば後続の行事名を取得し一覧のコメント欄に追記する。
【００８９】
前記記録画像指定情報３２３を受けると、記録画像配信処理手段３４のフレーム検索手段３４１が日付−時刻情報でビデオデータＤＢ３６の媒体番号を決め、更にその媒体で日付−時刻情報に一致するヘッダをサーチ（頭出し）し、グループ化されたビデオデータを読込ＢＵＦ３４３に読み込む。
【００９０】
そしてパケット化・送信手段３４２でパケット化し要求元のユーザ端末６に送信する。
【００９１】
次に、本発明の実施の形態の動作について図面を参照して説明する。図４は幼稚園からの情報をインターネットにより発信する例である。幼稚園運営者は、保護者へ公開するデータを、情報入力端末５から情報発信サーバ２へ登録する。即ち、情報発信サーバ２をアクセスし、主メニューで「行事予定・連絡事項閲覧及び登録」を選択し、公開データを入力し登録を指示する（ステップＡ１）。
【００９２】
保護者は、ユーザ端末６−１から情報発信サーバ２をアクセスし、主メニューで「行事予定・連絡事項閲覧」を選択し、幼稚園からの行事、連絡事項、先生の便り等を参照する（ステップＡ２）。
【００９３】
図５は幼稚園の様子を動画によりリアルタイムで閲覧する例である。画像監視カメラ４は、園内の様子をビデオデータとして動画配信サーバ３へ転送する（ステップＢ１）。
【００９４】
動画配信サーバ３はデータをバッファで受け圧縮等の処理をし、ユーザ端末６からリアルタイムで動画像データを参照でき、且つ何時でもそのデータが参照できるよう、ビデオデータをデータベース化する（ステップＢ２）。
【００９５】
ユーザ端末６−１は、動画配信サーバ３へアクセスし現画像の配信を要求することで、今現在の園内の様子を確認する（ステップＢ３）。
【００９６】
また、ユーザ端末６−１は、記録済み画像の配信を要求し、インデックスファイル３５の提示を受け（ステップＢ４）、必要に応じ行事名等を参考にし日付−時刻を指定することで過去の園内の様子を動画配信サーバ３から閲覧することができる（ステップＢ５）。
【００９７】
図６は、運動会等行事開催の有無と、開催中止時の連絡を自動で通知する例である。
【００９８】
幼稚園運営者は、行事開催の有無を情報発信サーバ２へ登録する。即ち、行事が中止となった場合、幼稚園運営者は、情報発信サーバ２へアクセスし主メニューの「トピックス閲覧及び登録」を選択し、開催中止または延期の連絡をトピックスＢＤ２０５に登録する（ステップＣ１）。
【００９９】
情報発信サーバ２は、この登録から、全保護者へＥ−ｍａｉｌと、自動音声による電話連絡により、中止または延期の連絡を行う（ステップＣ２）。
【０１００】
図７は、保護者と幼稚園運営者とが意見を交換する、メッセージ交換の例である。保護者または幼稚園運営者は、情報発信サーバ２にアクセスし「メッセージ交換」を選択し、ＭＳＧ交換ＢＤ２０３に提案または意見を掲載する（ステップＤ１）。
【０１０１】
他の保護者はユーザ端末６−１や６−２で幼稚園運営者は情報入力端末５−２から情報発信サーバ２へアクセスし、ＭＳＧ交換ＢＤ２０３に書き込まれた内容を参照する（ステップＤ２）。
【０１０２】
掲載された意見に賛成意見、反対意見、または補足等がある場合は、ユーザ端末６−１または情報入力端末５−２から、コメントをＭＳＧ交換ボード２０３に書き込む（ステップＤ３）。
【０１０３】
保護者と幼稚園運営者は、ステップＤ２、ステップＤ３を繰り返し、意見交換を行う。
【０１０４】
図８は、保護者間で連絡を取り合う連絡機能の例である。保護者は、ユーザ端末６−１から情報発信サーバ２対応のメールサーバにアクセスし、「保護者用連絡ボード」への登録用のテンプレートとメールアドレス一覧のメールを受信する。これに連絡メッセージと、通知先対象の保護者の入力をし返信する（ステップＥ１）。
【０１０５】
通知先が複数ある場合は、複数の保護者を登録する。この場合、通知先の氏名、連絡先が曖昧な場合でも、メールアドレス一覧上のニックネームやグループ名から選択でき、組全体、学年全体等の指定ができるので、簡単に通知先を設定できる（ステップＥ２）。
【０１０６】
情報発信サーバシステム１は、連絡事項を情報発信サーバシステム１上で公開するとともに、通知先へＥ−ｍａｉｌにより連絡事項を送信する（ステップＥ３）。
【０１０７】
通知を受けた保護者は、連絡事項に回答する必要がある場合は、ユーザ端末６−１から情報発信サーバシステム１へアクセスし、メッセージを書き込むか、Ｅ−ｍａｉｌにより直接他の保護者へ連絡する（ステップＥ４）。
【０１０８】
図９は、送迎車の位置・到着時刻確認機能の例である。送迎車に設置されている移動体端末７は、ＧＰＳから現在位置を算出し、情報発信サーバシステム１へ位置情報を通知する（ステップＦ１）。
【０１０９】
情報発信サーバシステム１は、移動体端末７からの位置情報を元に、これから通過する送迎地点までの所要時間を計算し、現在位置と到着時刻を情報発信サーバシステム１で公開する（ステップＦ２）。
【０１１０】
保護者は、ユーザ端末６−１から情報発信サーバ２の送迎車位置情報を把握することで、送迎地点で長い間送迎車を待つことなく、園児を送迎することができる（ステップＦ３）。
【０１１１】
図１０は、送迎の欠席を送迎車へ通知する機能である。保護者が、園児の欠席により送迎車に搭乗できない場合や、遅刻等の理由　から送迎車の送迎時刻に間に合わない場合は、ユーザ端末６−１から情報発信サーバ２へ、Ｅ−ｍａｉｌまたはウェブページアクセスで欠席連絡ボードへ書き込むことで、幼稚園へ連絡を入れる（ステップＧ１）。
【０１１２】
情報発信サーバ２は、保護者からの通知を元に、移動体端末７へ情報発信を行う（ステップＧ２）。
【０１１３】
リアルタイムで更新される情報を元に、送迎車は滞りなく園児を乗せて幼稚園へ向かう（ステップＧ３）。
【０１１４】
【発明の効果】
以上説明した様に本発明によれば、幼稚園からの行事予定や連絡事項をそれぞれのボードに登録でき、保護者の端末や携帯電話から閲覧できるので、紙による配布に比べて情報の途中喪失が無くなり、鮮度の高い情報取得が何時でも何処でも可能となる。
【０１１５】
又、幼稚園の様子がリアルタイム的に配信できるので教育の方法、現場の環境、園児の反応等まで知ることが可能となる。
【０１１６】
又、画像監視カメラと情報発信サーバシステムの画像蓄積機能と行事予定ボードを組み合わせることで、幼稚園の過去の保育記録を何時でも確認でき過去の映行事等の映像の指定ができる。
【０１１７】
又、行事の開催可否等の重要事項をトピックスボードに登録すれば、保護者等が閲覧出来、又Ｅ−ｍａｉｌと電話による連絡も自動的に行うので、保護者は幼稚園のホームページを開いているだけで情報を取得でき、また、二重三重の連絡体制は連絡漏れや情報の喪失が防ぐことができる。
【０１１８】
又、幼稚園と保護者のメッセージ交換機能も準備され、メッセージ交換ボードへの書き込み、読み込みが何時でもできるので、幼稚園運営者と保護者が時間と場所を気にする必要が無い。また、従来の連絡帳のみの通知に較べ一方的でなく会話ができ、他者の意見を聞くこともできる。
【０１１９】
又、保護者間のメッセージ交換機能も準備され、複数の保護者間で連絡が取れる。特に、通知先の情報（Ｅ−ｍａｉｌアドレス等）が正確に把握できない場合でも、ニックネーム、クラス全体、学年全体等曖昧な設定でも情報発信サーバシステムが通知先を管理し候補を提示するので、連絡を簡単に取ることができる。
【０１２０】
又、パソコンや携帯電話等で送迎車情報ボードで送迎車の現在位置、到着予定時刻を正確に把握することが可能になったことにより、保護者の送迎車待ち時間を必要最低限に短縮することができる。特に送迎場所に出発するのが遅れた際に、間に合いそうであれば出向き、無理であれば乗車させない、迎えに行かないといった判断をし対応することも可能となる。
【０１２１】
又、保護者がユーザ端末から送迎の欠席をＥ−ｍａｉｌまたはこれ用のウェブページへの書込手段で情報発信サーバシステムの出欠連絡ボードへ書き込み、送迎バス運行開始前或いは運行時間帯であれば書込次第その内容が対応する送迎バスの移動体端末に通知されるので、保護者が送迎車への連絡を簡単に、且つ時間的余裕をもって行える。
【０１２２】
即ち、従来の電話等による幼稚園側の連絡受付け可能な時間外（休日、深夜、早朝）であっても情報発信サーバシステムが稼働している限り通知出来、又欠席、遅刻の理由が、送迎車が幼稚園を出発後に発生した場合、或いは送迎地点に移動中に発生し自宅の電話による連絡が出来ない場合にも速やかに通知できる。
【図面の簡単な説明】
【図１】本発明の幼稚園ネットワーク管理システムの全体のシステム構成を示した図である。
【図２】図１の情報発信サーバ２の構成を示したブロック図である。
【図３】図１の動画配信サーバ３の構成を示したブロック図である。
【図４】図４は幼稚園からの情報をインターネットにより発信する例を示した図である。
【図５】図５は幼稚園の様子を動画によりリアルタイムで閲覧し、又過去画像を閲覧する例を示した図である。
【図６】図６は、運動会等行事開催の有無と、開催中止時の連絡を自動で通知する例を示した図である。
【図７】図７は、保護者と幼稚園運営者とが意見を交換する、メッセージ交換の例を示した図である。
【図８】図８は、保護者間で連絡を取り合う例を示した図である。
【図９】図９は、送迎車の位置・到着時刻確認の例を示した図である。
【図１０】図１０は、送迎の欠席を送迎車へ通知する例を示した図である。
【符号の説明】
１　　情報発信サーバシステム
２　　情報発信サーバ
２０１　　行事予定ＢＤ
２０２　　連絡事項ＢＤ
２０３　　ＭＳＧ交換ＢＤ
２０４　　保護者用連絡ＢＤ
２０４　　保護者連絡ＢＤ
２０５　　トピックスＢＤ
２０６　　欠席連絡ＢＤ
２０７　　送迎車情報ＢＤ
２１　　通信手段
２２　　メーラ
２２１　　メールアドレスリスト
２３　　ＣＴＩ
２３１　　電話番号リスト
２４　　メニュー送信手段
２４２　　ユーザ属性情報
２５　　連絡処理手段
２６　　ＭＳＧ交換処理手段
２６１　　ＭＳＧ交換処理手段
２８　　欠席連絡処理手段
２９　　送迎車運行情報処理手段
２９３　　変換手段
２９４　　時刻計算手段
２９５　　変換手段
３　　動画配信サーバ
３１　　通信手段
３２　　画像要求処理手段
３２２　　現画像送信アドレスリスト
３２３　　記録画像指定情報
３３　　画像登録・配信処理手段
３３１　　受信ＢＵＦ
３３２　　圧縮・ＧＲＰ化処理手段
３３３　　パケット化・送信手段
３３４　　ヘッダ付加手段
３３５　　出力ＢＵＦ
３３６　　外部記憶転送処理手段
３３７　　インデックス作成手段
３４　　記録画像配信処理手段
３４１　　フレーム検索手段
３４２　　パケット化・送信手段
３４３　　読込ＢＵＦ
３５　　インデックスファイル
３６　　ビデオデータＤＢ
４　　画像監視カメラ
５、５−１、５−２　　情報入力端末
６、６−１、６−２　　ユーザ端末
７　　移動体端末
１００　　ネットワーク
【図１】
2004110270.tif 000003
【図２】
2004110270.tif 000004
【図３】
2004110270.tif 000005
【図４】
2004110270.tif 000006
【図５】
2004110270.tif 000007
【図６】
2004110270.tif 000008
【図７】
2004110270.tif 000009
【図８】
2004110270.tif 000010
【図９】
2004110270.tif 000011
【図１０】
2004110270.tif 000012